【事件の表示】
　商願２０００−１２１３０５拒絶査定不服審判事件について、次のとおり審決する。
【結　論】
　本件審判の請求は、成り立たない。
【理　由】
１　本願商標
　本願商標は、「ル−バーラティス」の文字を標準文字により表してなり、第１９類の願書記載のとおりの商品を指定商品として、平成１２年１１月９日に登録出願されたものである。
　
２　原査定の拒絶の理由
　原査定は「（１）本願商標は、『何枚かの細長い薄板をすきまをもたせてよろい状に組んだ格子で日よけ等に使用するもの』を表す『ルーバー』の文字と『格子、園芸用の間仕切り』の意を有する『ラティス』の文字とを『ルーバーラティス』と書してなるところ、これからは全体として『ルーバー状の格子、何枚かの細長い薄板ですきまをもたせてよろい状に組んだ格子で、日よけや園芸用の間仕切りに使用するもの』の意味合いが容易に理解されるから、出願人がこれを前記照応する商品に使用しても、単に商品の品質・用途を表示するにすぎないのものと認める。したがって、この商標登録出願に係る商標は、商標法第３条第１項第３号に該当し、前記商品以外の商品に使用するときは、商品の品質の誤認を生じさせるおそれがあるから、商標法第４条第１項第１６号に該当する。（２）本願商標は、登録第3307199号商標と同一又は類似であって、その商標に係る指定商品（指定役務）と同一又は類似の商品（役務）について使用するものであるから、商標法第４条第１項第１１号に該当する。」旨認定、判断し、本願を拒絶したものである。
　
３　当審における職権証拠調べの通知
　本願商標について商標法第３条第１項第３号及び同法第４条第１項第１６号に該当するか否かについておこなった商標法第５６条第１項で準用する特許法第１５０条第５項の規定に基づく証拠調べ通知の内容は、以下のとおりであり、期間を指定して通知し、請求人に意見を述べる機会を与えた。
（１）「ジョイフル本田│ラティス」の見出しの下、■ジョイフル本田のラティスはお馴染みの格子タイプの物から和風のものまで新鮮なデザインが豊富です！・・・・お好みのデザインをお選び下さい。・・・●ちょっとおしゃれな目隠しにいかがですか？（商品画像掲載）ハードウッド　ルーバーラティス　サイズ　８９５×２１６５×３８ｃｍ　税込参考価格￥７，９８０、８９５×１５６０×３８ｃｍ　税込参考価格￥５，９８０（インターネット情報…アドレス　wysiwyg://12/http://www.joyfulhonda.com/homecenter/woods/lattice/）。 
 （２）「【楽天市場】ラティスショップ・タニハタ：ルーバー塗装品の注文ページです。」との見出しの下、「Ｔａｎｉｈａｔａ　Ｃｒａｆｔｓｍａｎｓｈｉｐ　ルーバーラティス　塗装品　商品番号　サイズ３００ミリ×９００ミリ　価格７，９００円（税込８，２９５円）送料込　塗装種類　□ライトブラウン　□ミディアムブラウン　□ダークブラウン　□ホワイト　□透明クリヤー（室内用）」（インターネット情報…アドレス　http://www.rakuten.co.jp/tanihata/437455/471260）。【楽天市場】ラティスショップ・タニハタ：[会社概要]の見出しの下、株式会社タニハタ　〒９３０−０８１６　富山県富山市上赤江町１−７−３　TEL:0120-41-2872　FAX：076-432-2795　店舗運営責任者：谷端信夫　ｅ-ｍａｉｌ：ｔａｎｉｈａｔａ＠ａｂｅａｍ.ｏｃｎ.ne.ｊｐ（インターネット情報…アドレス　http://www.rakuten.co.jp/tanihata/info.html）。 
 （３）「ルーバーラティス　WEX-61KN通販[ビッダーズ]」の見出しの下、forgardener　ｅｎｇｅｉ　ｎｅｔ　ルーバーラティス　WEX-61KN　ロットナンバー：27345044　珍しいルーバータイプのラティスフェンス。壁面にとり植物を這わせたり、またベランダやテラスの目隠し・に活躍します。通気性も確保できます。サイズは幅６０ｃｍ、高さ９０ｃｍ、奥行き３．５ｃｍです。材質：木製（中国杉）オイルステイン塗装済み（ルーバーは固定です）販売価格：２５００円（商品画像掲載）（インターネット情報…アドレス　wysiwyg://110/http://www.bidders.co.jp/pitem/27345044）。 
 (４）「人気ガーデン用品を画像で紹介 【通販　プチベスト図鑑】」の見出しの下、ガーデニング用品通販　通販　プチベスト図鑑にようこそ。・・・★★庭やベランダを変身させよう★★・・・・（商品画像掲載）ルーバーラティス　３０ｃｍ幅４枚セット　ML-309　見られたくない場所の目隠し・日除け・風除けに使用できるルーバーラティスです。防腐・防カビ効果のある合成樹脂塗料（アルキド系）を・・・（インターネット情報…アドレス　wysiwyg://130/http://www.geocities.jp./ma1220sa/moru0.htm）。 
 （５）「Yahoo!ショッピング−【ルーバーラティス】」の見出しの下、「青山ガーデン」Ｔｅｒｒａｃｅ　Ｇａｒｄｅｎ　ワンランク上のベランダ ホーム〉ワンランク上のベランダ〉 
 【ルーバーラティス】（商品画像掲載）木製ルーバーラティス90×180　お買い得３枚組み　ナチュラル　価格：18，900円（税込み）　特価：10，080（税込み）（インターネット情報…アドレスhttp://store.yahoo.co.jp/garden/a5efa5f3a5e9a5f3a5e9a5f3a5afbee5...e9a5f3a5c0-a1daa5eba1bca5d0a1bca5e9a5c6a5a3a5b9a1db.html） 
　
４　請求人は、前記３　証拠調べ通知に対し何ら意見を述べていない。
　
５　当審の判断
　本願商標は、前記のとおりの構成よりなるところ、構成中の「ルーバー」は「よろい格子、何枚かの細長い薄板をすきまをもたせてよろい状に組んだ格子で日よけ等に使用するもの」を意味する語（コンサイスカタカナ語辞典　第２版）であり、また「ラティス」は、「格子戸、格子造り、バラなどをつたわせる」の意を有する語（コンサイスカタカナ語辞典　第２版）である。
　また、建築用語辞典（第二版　技法堂出版株式会社　発行）には、「ルーバー」の項に、「フィン（fin）又は羽板（louverbord）とよばれる扁平で細長い部材（木材・金属・コンクリート・樹脂系板）を鉛直又は水平に、またはます形などに組んで開口部の前面に設けたもので、フィンが固定もの（固定ルーバー）と可動なもの（可動ルーバー）がある。日照調整を主目的とするもので通気は自由である。」と記載され、「ラチス」の項に、「鉄骨造または木造の梁、柱において材軸方向の主材をつづりあわせるとともに・・・・、斜めまたはジグザグ状の腹材をいう。」との記載がある。
　さらに、前記３　証拠調べ通知のとおり、最近では、壁面にとり付け植物を這わせたり、またベランダやテラスの目隠しや通気性も確保したり、見られたくない場所の目隠し・日除け・風除け用として、「何枚かの細長い薄板をすきまをもたせてよろい状に組んだ格子状（ルーバー状）からなるラティス」が存在し、これが「ルーバーラティス」と称され販売されている実情がある。
　そうとすれば、本願商標をその指定商品中「何枚かの細長い薄板をすきまをもたせてよろい状に組んだ格子状（ルーバー状）からなるラティス」に使用するときは、これに接する取引者、需用者をして単に商品の構造、用途等商品の品質を表示したものと理解、認識させるにすぎず、また、その指定商品中前記文字に照応する商品以外の商品に使用するときには商品の品質について誤認する虞があるものといわなければならない。
　したがって、本願商標が商標法第３条第１項第３号及び同法第４条第１項第１６号に該当するとした原査定の認定・判断は妥当なものであって、これを取り消すべき限りでない。
　よって、結論のとおり審決する。